(57)【要約】【課題】ディスクトレイを装置本体から引き出したときにディスクの前部を上向きに上げてディスクを取りやすくできるディスク装置を提供する。【解決手段】ディスクトレイ２の先端に枢着したＴ字形の回転部材３における装置本体１側に突設したディスク上げ片３ａのディスク当接部に緩衝材４を固着し、ディスクトレイ２の下側に回転部材３の下向き片３ｂに枢着し長手方向に長溝５ａを穿設した平板材５を装置本体１内に配設し、装置本体１内側に平板材５の長溝５ａに挿入し平板材５が装置本体１から所定距離出た位置で平板材５が装置本体１外に出ることを阻止する止めリブ６を設け、ディスクトレイ２を装置本体１から出したとき止めリブ６に平板材５の長溝５ａの終端縁が当接し平板材５の移動を阻止し回転部材３がディスクトレイ２への枢着点を中心として回転しディスク上げ片３ａを上向きに回動し先端の緩衝材４でディスクＤを持ち上げる。【選択図】  図２
2005004831.tif 000002
【特許請求の範囲】
【請求項１】
装置本体内に出し入れされるディスクトレイをディスク装置の出し入れ用開口部から外側に引き出したときに、ディスクトレイに載置されているディスクが上向きに上がってこのディスクを取りやすい状態になるようにしたディスク装置において、ディスクトレイの先端に回動可能に略横向きＴ字形の回転部材が枢着されていて、この回転部材における装置本体側に向けて突設されたディスク上げ片のディスク当接部にゴム材又はスポンジ等からなる緩衝材が固着されていて、前記ディスクトレイの下側に、前記略横向きＴ字形の回転部材の下向き片に先端が枢着され長手方向に向けて長溝が穿設された平板材が前記装置本体内に出し入れ可能に配設され、装置本体内側に、前記平板材の長溝に挿入され平板材が装置本体から外側に所定距離出た位置でこの平板材が装置本体外に出ることを阻止する止めリブが配設されていて、前記ディスクトレイを前記装置本体から所定距離引き出したときに、前記止めリブに前記平板材の長溝の終端縁が当接して平板材の前方への移動が阻止されることによって、前記回転部材が前記ディスクトレイへの枢着点を中心として回転して前記ディスク上げ片が上向きに回動し、その先端の緩衝材で前記ディスクが持ち上げられて、前記ディスクを取り出し易い状態になるように構成したことを特徴とするディスク装置。
【請求項２】
ディスクトレイの先端に回動可能に回転部材が枢着されていて、この回転部材に装置本体側に向けてディスク上げ片が突設され、前記ディスクトレイの下側に、前記回転部材の下向き片に先端が枢着され長手方向に向けて長溝が穿設された平板材が前記装置本体内に出し入れ可能に配設され、装置本体内側に、前記平板材の長溝に挿入され平板材が装置本体から外側に所定距離出た位置でこの平板材が装置本体外に出ることを阻止する止めリブが配設されていて、前記ディスクトレイを前記装置本体から所定距離引き出したときに、前記止めリブに前記平板材の長溝の終端縁が当接して平板材の前方への移動が阻止されることによって、前記回転部材が前記ディスクトレイへの枢着点を中心として回転して前記ディスク上げ片が上向きに回動して、その先端で前記ディスクが持ち上げられて、前記ディスクを取り出し易い状態になるように構成したことを特徴とするディスク装置。
【請求項３】
前記回転部材と前記ディスクトレイとの間に引っ張りバネが架け渡されていて、前記回転部材を前記ディスク上げ片が水平向きになるような向きに付勢している請求項２に記載のディスク装置。
【請求項４】
前記止めリブの上端に、前記平板材の長溝から上向きに外れることを阻止する幅広部が形成されている請求項２又は３に記載のディスク装置。
【請求項５】
前記ディスク上げ片は、前記ディスクの裏面に２箇所で当接するように、前記回転部材から左右一対前記装置本体側に向けて突設されている請求項２乃至４のいずれかに記載のディスク装置。
【発明の詳細な説明】
【０００１】
【発明の属する技術分野】
本発明は、装置本体内に出し入れされるディスクトレイをディスク装置の出し入れ用開口部から外側に引き出したときに、ディスクトレイに載置されているディスクが上向きに上がってこのディスクを取りやすい状態になるようにしたディスク装置に関する。
【０００２】
【従来の技術】
第１の従来技術を図８（ａ）（ｂ）（ｃ）に示す。トレイ１１３を本体シャーシ１１０から排出した際に、トレイ１１３内に一対設けたディスクサポート部材１２１の突起部１２１ａが、カバー１２０の内側先端部分に設けられたサポートガイド部材１２２に接することによって突起部１２１ａが押し下げられ、支点１５１を介して突起部１２１ｂがディスク１１４を押し上げるものである。（例えば、特許文献１参照）。
ところが、これにおいては、ディスクサポート部材１２１が移動する際にその突起部１２１ａがカバー１２０の内面に擦れて引出しが重たい感じとなり、また、デスク１１４の後端側が浮き上がる構造となっているので、ディスクの取り出しが行い難いという問題があった。
【０００３】
第２の従来技術を図９、図１０、図１１に示す。ディスク２４２の出し入れを行う開放位置及びディスク２４２をターンテーブル２０３に着脱させる閉塞位置間を摺動し得るように取付けられたディスク収納部２０６を有するディスクトレイ２０４と、ディスクトレイ２０４に回動自在に取付けられディスク収納部２０６内に位置される先端部２１２及びシャーシ２０１上のカム部材２１４に摺動される係止突片２１５を有するリフタ２１０と、先端部に形成されたチャック部材２２８がターンテーブル２０３方向に付勢されるようにシャーシ２０１に回動自在に取付けられディスクトレイ２０４に有する突条２０９に係合される耳片２２６が設けられたクランパ２２１とよりなり、ディスクトレイ２０４を摺動させる際に係止突片２１５をカム部材２１４の上面に接触させ先端部２１２を浮上しディスク２４２の一方を持上げるとともに、突条２０９を耳片２２６に接触させクランパ２２１を付勢力に抗し回動させチャック部材２２８を非チャック位置にさせ、ディスクトレイ２０４が閉塞位置にあるときには係止突片２１５をカム部材２１４上より離脱させリフタ２１０を非リフト位置にし、耳片２２６を突条２０９より離間させクランパ２２１を付勢力で回動しチャック部材２２８をチャック位置にさせるものである。（例えば、特許文献２参照）。
ところが、これにおいては、ディスクトレイ２０４を外側に出したときに、ディスク２４２は上側に上がらないので、ディスク２４２を取り出し難いという問題があった。
【０００４】
【特許文献１】
特開平８−８７７９７号公報
【特許文献２】
特開昭６２−２９５２５７号公報
【０００５】
【発明が解決しようとする課題】
本発明は、ディスクトレイを装置本体から引き出したときに、ディスクの前部を上向きに上げることができて、ディスクを取りやすくできるディスク装置を提供する事を目的としている。
【０００６】
【課題を解決するための手段】
本発明は、上記課題を解決するために提案されたものであって、請求項１に記載の発明は、装置本体内に出し入れされるディスクトレイをディスク装置の出し入れ用開口部から外側に引き出したときに、ディスクトレイに載置されているディスクが上向きに上がってこのディスクを取りやすい状態になるようにしたディスク装置において、ディスクトレイの先端に回動可能に略横向きＴ字形の回転部材が枢着されていて、この回転部材における装置本体側に向けて突設されたディスク上げ片のディスク当接部にゴム材又はスポンジ等からなる緩衝材が固着されていて、前記ディスクトレイの下側に、前記略横向きＴ字形の回転部材の下向き片に先端が枢着され長手方向に向けて長溝が穿設された平板材が前記装置本体内に出し入れ可能に配設され、装置本体内側に、前記平板材の長溝に挿入され平板材が装置本体から外側に所定距離出た位置でこの平板材が装置本体外に出ることを阻止する止めリブが配設されていて、前記ディスクトレイを前記装置本体から所定距離引き出したときに、前記止めリブに前記平板材の長溝の終端縁が当接して平板材の前方への移動が阻止されることによって、前記回転部材が前記ディスクトレイへの枢着点を中心として回転して前記ディスク上げ片が上向きに回動し、その先端の緩衝材で前記ディスクが持ち上げられて、前記ディスクを取り出し易い状態になるように構成したことを特徴としている。
【０００７】
請求項２に記載の発明は、ディスクトレイの先端に回動可能に回転部材が枢着されていて、この回転部材に装置本体側に向けてディスク上げ片が突設され、前記ディスクトレイの下側に、前記回転部材の下向き片に先端が枢着され長手方向に向けて長溝が穿設された平板材が前記装置本体内に出し入れ可能に配設され、装置本体内側に、前記平板材の長溝に挿入され平板材が装置本体から外側に所定距離出た位置でこの平板材が装置本体外に出ることを阻止する止めリブが配設されていて、前記ディスクトレイを前記装置本体から所定距離引き出したときに、前記止めリブに前記平板材の長溝の終端縁が当接して平板材の前方への移動が阻止されることによって、前記回転部材が前記ディスクトレイへの枢着点を中心として回転して前記ディスク上げ片が上向きに回動して、その先端で前記ディスクが持ち上げられて、前記ディスクを取り出し易い状態になるように構成したことを特徴としている。
【０００８】
請求項３に記載の発明は、前記回転部材と前記ディスクトレイとの間に引っ張りバネが架け渡されていて、前記回転部材を前記ディスク上げ片が水平向きになるような向きに付勢しているものである。
請求項４に記載の発明は、前記止めリブの上端に、前記平板材の長溝から上向きに外れることを阻止する幅広部が形成されているものである。
請求項５に記載の発明は、前記ディスク上げ片は、前記ディスクの裏面に２箇所で当接するように、前記回転部材から左右一対前記装置本体側に向けて突設されているものである。
【０００９】
【発明の実施の形態】
以下、本発明に係るディスク装置の実施の形態について、図を参照しつつ説明する。
図１は本発明のディスク装置の第１実施形態におけるディスクトレイを途中まで引き出した状態の部分側面図、図２は同ディスク装置におけるディスクトレイを引き出してディスクを取り出す際の部分側面図、図３は同ディスク装置における平板材と装置本体内の止めリブとの関係を示す部分拡大斜視図、図４は同ディスク装置におけるディスクトレイを引き出した際の部分平面図である。
【００１０】
第１実施形態のディスク装置は、図１、図２、図３、図４に示すように、筐体状の装置本体１の出し入れ用開口部１ａから出し入れされるディスクトレイ２の先端に回動可能に略横向きＴ字形の回転部材３が枢着されていて、この回転部材３における装置本体１側に向けて突設されたディスク上げ片３ａのディスク当接部にゴム材又はスポンジ等からなる緩衝材４が固着されている。尚、この回転部材３のディスク上げ片３ａは、水平向きの状態では、ディスクトレイ２の先部に設けられた凹段部２ａに納まるようになっている。
【００１１】
更に、ディスクトレイ２の下側に、略横向きＴ字形の回転部材３の下向き片３ｂに先端が枢着され長手方向に向けて長溝５ａが穿設された平板材５が装置本体１内に出し入れ可能に配設され、装置本体１内側に、平板材５の長溝５ａに挿入され平板材５が装置本体１から外側に所定距離出た位置でこの平板材５が装置本体１外に出ることを阻止する止めリブ６が配設されている。
【００１２】
そして、ディスクトレイ２を装置本体１から所定距離引き出したときに、止めリブ６に平板材５の長溝５ａの終端縁が当接して平板材５の前方への移動が阻止されることによって、回転部材３がディスクトレイ２への枢着点を中心として回転してディスク上げ片３ａが上向きに回動し、その先端の緩衝材４でディスクＤが持ち上げられて、ディスクＤを取り出し易い状態になるようにしている。
したがって、この第１実施形態によれば、ディスクトレイ２を装置本体１から引き出したときに、ディスクＤの前部を上向きに上げることができて、ディスクＤを取りやすくできる。
【００１３】
図５は第２実施形態のディスク装置におけるディスクトレイを引き出してディスクを取り出す際の部分側面図である。
第２実施形態のディスク装置は、図５に示すように、回転部材３とディスクトレイ２との間に引っ張りバネ７が架け渡されていて、回転部材３をディスク上げ片３ａが水平向きになるような向きに付勢している。
したがって、この第２実施形態によれば、ディスクトレイ２を装置本体１側に向けて移動した際に、回転部材３がそのディスク上げ片３ａを水平向きになるように回動して正常の姿勢に自動的になるようにすることができる。
【００１４】
図６は第３実施形態のディスク装置における平板材と装置本体内の止めリブとの関係を示す部分拡大斜視図である。
第３実施形態のディスク装置は、図６に示すように、止めリブ６の上端に、平板材５の長溝５ａから上向きに外れることを阻止する幅広部６ａが形成されている。
したがって、この第３実施形態によれば、止めリブ６の上端の幅広部６ａで、平板材５が止めリブ６より上向きに外れることを防止できる。
【００１５】
図７は第４実施形態のディスク装置におけるディスクトレイを引き出した際の部分平面図である。
第４実施形態のディスク装置は、図７に示すように、ディスク上げ片３ａ、３ａがディスクＤの裏面に２箇所で当接するように、回転部材３から左右一対装置本体１側に向けて突設されている。
したがって、この第４実施形態によれば、２箇所のディスク上げ片３ａ、３ａでディスクＤを上向きに上げることができて、ディスクＤが上がるときに傾くことを防ぐことができて、ディスクＤを取り出し易い姿勢にすることができる。
【００１６】
【発明の効果】
以上説明したように、請求項１に記載の発明は、装置本体内に出し入れされるディスクトレイをディスク装置の出し入れ用開口部から外側に引き出したときに、ディスクトレイに載置されているディスクが上向きに上がってこのディスクを取りやすい状態になるようにしたディスク装置において、ディスクトレイの先端に回動可能に略横向きＴ字形の回転部材が枢着されていて、この回転部材における装置本体側に向けて突設されたディスク上げ片のディスク当接部にゴム材又はスポンジ等からなる緩衝材が固着されていて、ディスクトレイの下側に、略横向きＴ字形の回転部材の下向き片に先端が枢着され長手方向に向けて長溝が穿設された平板材が前記装置本体内に出し入れ可能に配設され、装置本体内側に、平板材の長溝に挿入され平板材が装置本体から外側に所定距離出た位置でこの平板材が装置本体外に出ることを阻止する止めリブが配設されていて、ディスクトレイを装置本体から所定距離引き出したときに、止めリブに平板材の長溝の終端縁が当接して平板材の前方への移動が阻止されることによって、回転部材がディスクトレイへの枢着点を中心として回転してディスク上げ片が上向きに回動し、その先端の緩衝材でディスクが持ち上げられて、ディスクを取り出し易い状態になるように構成したので、以下に述べる効果を奏する。
即ち、ディスクトレイを装置本体から引き出したときに、ディスクの前部を自動的に上向きに上げることができて、ディスクを取りやすくできる。
【００１７】
請求項２に記載の発明は、ディスクトレイの先端に回動可能に回転部材が枢着されていて、この回転部材に装置本体側に向けてディスク上げ片が突設され、ディスクトレイの下側に、回転部材の下向き片に先端が枢着され長手方向に向けて長溝が穿設された平板材が装置本体内に出し入れ可能に配設され、装置本体内側に、平板材の長溝に挿入され平板材が装置本体から外側に所定距離出た位置でこの平板材が装置本体外に出ることを阻止する止めリブが配設されていて、ディスクトレイを装置本体から所定距離引き出したときに、止めリブに平板材の長溝の終端縁が当接して平板材の前方への移動が阻止されることによって、回転部材がディスクトレイへの枢着点を中心として回転してディスク上げ片が上向きに回動して、その先端でディスクが持ち上げられて、ディスクを取り出し易い状態になるように構成したので、以下に述べる効果を奏する。
即ち、ディスクトレイを装置本体から引き出したときに、ディスクの前部を上向きに上げることができて、ディスクを取り易い状態にすることができる。
【００１８】
請求項３に記載の発明は、回転部材とディスクトレイとの間に引っ張りバネが架け渡されていて、回転部材をディスク上げ片が水平向きになるような向きに付勢しているので、ディスクトレイを装置本体側に向けて移動した際に、回転部材がそのディスク上げ片を水平向きになるように回動して正常の姿勢に自動的になるようにすることができる。
【００１９】
請求項４に記載の発明は、止めリブの上端に、平板材の長溝から上向きに外れることを阻止する幅広部が形成されているので、止めリブの上端の幅広部で、平板材が止めリブより上向きに外れることを防止できる。
【００２０】
請求項５に記載の発明は、ディスク上げ片は、ディスクの裏面に２箇所で当接するように、回転部材から左右一対装置本体側に向けて突設されているので、２箇所のディスク上げ片でディスクを上向きに上げることができて、ディスクが上がるときに傾くことを防ぐことができて、ディスクを取り出し易い姿勢にすることができる。
【図面の簡単な説明】
【図１】本発明のディスク装置の第１実施形態におけるディスクトレイを途中まで引き出した状態の部分側面図である。
【図２】同ディスク装置におけるディスクトレイを引き出してディスクを取り出す際の部分側面図である。
【図３】同ディスク装置における平板材と装置本体内の止めリブとの関係を示す部分拡大斜視図である。
【図４】同ディスク装置におけるディスクトレイを引き出した際の部分平面図である。
【図５】第２実施形態のディスク装置におけるディスクトレイを引き出してディスクを取り出す際の部分側面図である。
【図６】第３実施形態のディスク装置における平板材と装置本体内の止めリブとの関係を示す部分拡大斜視図である。
【図７】第４実施形態のディスク装置におけるディスクトレイを引き出した際の部分平面図である。
【図８】従来のディスクドライブ装置を示し、（ａ）そのトレイを引き出す前の状態を示す断面図、（ｂ）はそのトレイを引き出した際における第１例の断面図、（ｃ）はそのトレイを引き出した際の第２例の断面図である。
【図９】従来のディスクプレーヤのディスク着脱装置におけるディスクトレイが引き出された状態を示す断面図である。
【図１０】同ディスク着脱装置におけるディスクトレイを途中まで押し入れた状態を示す断面図である。
【図１１】同ディスク着脱装置におけるディスクトレイを押し入れられた状態を示す断面図である。
【符号の説明】
Ｄ              ディスク
１              装置本体
１ａ            出し入れ用開口部
２              ディスクトレイ
３              略横向きＴ字形の回転部材
３ａ            ディスク上げ片
３ｂ            下向き片
４              緩衝材
５              平板材
５ａ            長溝
６              止めリブ
６ａ            幅広部
７              引っ張りバネ
【図１】
2005004831.tif 000003
【図２】
2005004831.tif 000004
【図３】
2005004831.tif 000005
【図４】
2005004831.tif 000006
【図５】
2005004831.tif 000007
【図６】
2005004831.tif 000008
【図７】
2005004831.tif 000009
【図８】
2005004831.tif 000010
【図９】
2005004831.tif 000011
【図１０】
2005004831.tif 000012
【図１１】
2005004831.tif 000013